(57)【要約】【課題】原稿を搬送するための駆動力を利用して、原稿読み取り光の遮蔽部材を漏洩する光の遮蔽位置に移動させる。【解決手段】  原稿を一枚ずつ搬送する原稿搬送装置３２を備え、露光ランプ１１から搬送される原稿に原稿読み取り光を照射する。光照射された原稿の反射光をイメージセンサ１２によって検知し、画像信号に変換する。原稿に対して照射される原稿読み取り光が原稿カバー３１と原稿読み取り窓２１が設けられた支持板２２との隙間から漏洩するのを遮蔽する位置に遮蔽部材８３を設ける。この遮蔽部材は、原稿搬送装置の動作に連動して、退避位置から漏洩する光を遮蔽する遮蔽位置に移動する。【選択図】図１
2011066766.tif 000002
【特許請求の範囲】
【請求項１】
搬送される原稿に対して照射される原稿読み取り光の漏洩を遮蔽する位置に設けられた遮蔽部材と、
該遮蔽部材が、前記原稿読み取り光の漏洩を遮蔽する遮蔽位置と該遮蔽位置から退避した退避位置との間で移動するように、該遮蔽部材に駆動力を伝達する駆動伝達部材と、を有し、
前記駆動伝達部材は、前記原稿を搬送するための駆動力を前記遮蔽部材に伝達するものであることを特徴とする遮光装置。
【請求項２】
前記駆動伝達部材は、
前記原稿を搬送する搬送ロールの回転支持軸に取り付けられたトルクリミッタと、
該トルクリミッタを介して前記回転支持軸から回転駆動力が伝達される回転部材と、を有し、
前記遮蔽部材は、前記回転部材の回転にともなって移動するものであり、前記遮蔽位置に到達したときに、前記回転部材の回転にともなう移動が拘束されるものであることを特徴とする請求項１に記載の遮光装置。
【請求項３】
原稿を一枚ずつ搬送する原稿搬送装置と、
前記原稿搬送装置によって搬送される原稿に、原稿読み取り光を照射する光源と、
光照射された前記原稿の反射光を検知し、画像信号に変換するイメージセンサと、
前記原稿に対して照射される原稿読み取り光の漏洩を遮蔽する位置に設けられた遮蔽部材と、を有し、
前記遮蔽部材は、前記原稿搬送装置の動作に連動して、退避位置から前記漏洩する光を遮蔽する遮蔽位置に移動するものであることを特徴とする原稿読み取り装置。
【請求項４】
前記原稿搬送装置は、前記原稿に接触して回転する搬送ロールを備え、
前記搬送ロールの回転支持軸に取り付けられたトルクリミッタと、
該トルクリミッタを介して前記回転支持軸から回転駆動力が伝達される回転部材と、を有し、
前記遮蔽部材は、前記回転部材の回転にともなって移動するものであり、前記遮蔽位置に到達したときに、前記回転部材の回転にともなう移動が拘束されるものであることを特徴とする請求項３に記載の原稿読み取り装置。
【請求項５】
ほぼ水平に支持され、原稿を載せ置くことができるプラテンガラスと、
前記プラテンガラスの上面を覆うように設けられるともに、該プラテンガラスを覆う位置から上方に移動して該プラテンガラスの上面を解放することができる原稿カバーと、を有し、
前記原稿搬送装置は、前記原稿カバーとともに移動するように設けられ、前記プラテンガラスと対向する位置又は前記プラテンガラスに並設された原稿読み取り窓と対向する位置に原稿を搬送するものであり、
前記光源は、前記プラテンガラス又は前記原稿読み取り窓の下方から上方を通過する原稿に原稿読み取り光照射するものであり、
前記遮蔽部材は、前記プラテンガラスの周囲にあって該プラテンガラスを支持する支持板と前記プラテンガラスを覆う位置にある前記原稿カバーとの間から漏洩する光を遮蔽するものであることを特徴とする請求項３又は請求項４に記載の原稿読み取り装置。
【請求項６】
前記遮蔽部材は、前記原稿カバーの前記プラテンガラスとの対向面より下方に突き出した位置で原稿読み取り光の漏洩を遮蔽するものであり、
前記原稿カバーの前記プラテンガラスとの対向面より上方に退避するものであることを特徴とする請求項５に記載の原稿読み取り装置。
【請求項７】
前記原稿搬送装置の原稿搬送路に沿った位置で、前記原稿読み取り光が照射される位置より上流側に、搬送される原稿の前方縁の通過を検知する上流側センサを有し、
前記上流側センサが前記原稿の前方縁の通過を検知するタイミングに基づき、前記遮蔽部材が前記遮蔽位置に移動し、該遮蔽位置への移動が完了した後に前記光源が点灯されるものであることを特徴とする請求項３から請求項６までのいずれかに記載の原稿読み取り装置。
【請求項８】
前記原稿搬送装置の原稿搬送路に沿った位置で、前記原稿読み取り光の照射位置より下流側に、搬送される原稿の後方縁の通過を検知する下流側センサを有し、
前記光源は、前記下流側センサが前記原稿の後方縁を検知するタイミングに基づいて消灯されるものであり、
前記原稿搬送装置の全部又は一部は、前記光源の消灯後に原稿の搬送方向と逆方向に動作して、前記遮蔽部材を退避位置に移動させるものであることを特徴とする請求項３から請求項７までのいずれかに記載の原稿読み取り装置。
【請求項９】
搬送される原稿面に露光して原稿を読み取る原稿読み取り装置と、
前記原稿読み取り装置で得られた画像情報に基づいて可視像を形成する像形成部とを有し、
前記原稿読み取り装置が、請求項３から請求項８までのいずれかに記載の原稿読み取り装置であることを特徴とする画像形成装置。
【発明の詳細な説明】
【技術分野】
【０００１】
本発明は、遮光装置、原稿読み取り装置及び画像形成装置に関する。
【背景技術】
【０００２】
原稿に光照射を行い、反射光を検知することによって原稿上の画像を読み取る原稿読み取り装置が、ファクシミリ、複写機等に用いられている。また、スキャナーとしても広く用いられている。
原稿に光を照射して読み取る方式には、ほぼ水平に支持されたプラテンガラス上に原稿を密着させて載せ置き、移動する露光ランプによってプラテンガラスの下側から原稿面を露光して反射光をイメージセンサに導くものがある。また、搬送されるシート状の原稿を静止している露光ランプによって光照射し、反射光をイメージセンサで検出する読み取る方式も広く知られている。そして、特許文献１に記載されているように、上記二つの機構が併設された原稿読み取り装置が広く用いられている。
【０００３】
上記のような原稿読み取り装置では、原稿の読み取り面に強い光を照射するため、ランプから照射された光が漏洩したり、原稿面又は周辺部材で反射した光が漏洩したりすると、操作者や周辺にいる者に不快感を与えることがある。そして、特許文献２には、上記のような原稿に照射する光が漏洩するのを防ぐ手段が提案されている。
【先行技術文献】
【特許文献】
【０００４】
【特許文献１】特開２００５−２０４００６
【特許文献２】特開２００７−６２７８
【発明の概要】
【発明が解決しようとする課題】
【０００５】
本願に係る発明は、原稿読み取り光の漏洩を遮蔽する遮蔽部材を、原稿を搬送するための駆動力を利用して遮蔽位置に移動させることができる遮光装置、原稿読み取り装置及び画像形成装置を提供することを目的とする。
【課題を解決するための手段】
【０００６】
上記課題を解決するために、請求項１に係る発明は、  搬送される原稿に対して照射される原稿読み取り光の漏洩を遮蔽する位置に設けられた遮蔽部材と、  該遮蔽部材が、前記原稿読み取り光の漏洩を遮蔽する遮蔽位置と該遮蔽位置から退避した退避位置との間で移動するように、該遮蔽部材に駆動力を伝達する駆動伝達部材と、を有し、  前記駆動伝達部材は、前記原稿を搬送するための駆動力を前記遮蔽部材に伝達するものである遮光装置を提供する。
【０００７】
請求項２に係る発明は、請求項１に記載の遮光装置において、  前記駆動伝達部材は、  前記原稿を搬送する搬送ロールの回転支持軸に取り付けられたトルクリミッタと、  該トルクリミッタを介して前記回転支持軸から回転駆動力が伝達される回転部材と、を有し、  前記遮蔽部材は、前記回転部材の回転にともなって移動するものであり、前記遮蔽位置に到達したときに、前記回転部材の回転にともなう移動が拘束されるものとする。
【０００８】
請求項３に係る発明は、  原稿を一枚ずつ搬送する原稿搬送装置と、  前記原稿搬送装置によって搬送される原稿に、原稿読み取り光を照射する光源と、  光照射された前記原稿の反射光を検知し、画像信号に変換するイメージセンサと、  前記原稿に対して照射される原稿読み取り光の漏洩を遮蔽する位置に設けられた遮蔽部材と、を有し、  前記遮蔽部材は、前記原稿搬送装置の動作に連動して、退避位置から前記漏洩する光を遮蔽する遮蔽位置に移動するものである原稿読み取り装置を提供するものである。
【０００９】
請求項４に係る発明は、請求項３に記載の原稿読み取り装置において、  前記原稿搬送装置は、前記原稿に接触して回転する搬送ロールを備え、  前記搬送ロールの回転支持軸に取り付けられたトルクリミッタと、  該トルクリミッタを介して前記回転支持軸から回転駆動力が伝達される回転部材と、を有し、  前記遮蔽部材は、前記回転部材の回転にともなって移動するものであり、前記遮蔽位置に到達したときに、前記回転部材の回転にともなう移動が拘束されるものとする。
【００１０】
請求項５に係る発明は、請求項３又は請求項４に記載の原稿読み取り装置において、  ほぼ水平に支持され、原稿を載せ置くことができるプラテンガラスと、  前記プラテンガラスの上面を覆うように設けられるともに、該プラテンガラスを覆う位置から上方に移動して該プラテンガラスの上面を解放することができる原稿カバーと、を有し、  前記原稿搬送装置は、前記原稿カバーとともに移動するように設けられ、前記プラテンガラスと対向する位置又は前記プラテンガラスに並設された原稿読み取り窓と対向する位置に原稿を搬送するものであり、  前記光源は、前記プラテンガラス又は前記原稿読み取り窓の下方から上方を通過する原稿に原稿読み取り光照射するものであり、  前記遮蔽部材は、前記プラテンガラスの周囲にあって該プラテンガラスを支持する支持板と前記プラテンガラスを覆う位置にある前記原稿カバーとの間から漏洩する光を遮蔽するものとする。
【００１１】
請求項６に係る発明は、請求項５に記載の原稿読み取り装置において、  前記遮蔽部材は、前記原稿カバーの前記プラテンガラスとの対向面より下方に突き出した位置で原稿読み取り光の漏洩を遮蔽するものであり、  前記原稿カバーの前記プラテンガラスとの対向面より上方に退避するものとする。
【００１２】
請求項７に係る発明は、請求項３から請求項６までのいずれかに記載の原稿読み取り装置において、  前記原稿搬送装置の原稿搬送路に沿った位置で、前記原稿読み取り光が照射される位置より上流側に、搬送される原稿の前方縁の通過を検知する上流側センサを有し、  前記上流側センサが前記原稿の前方縁の通過を検知するタイミングに基づき、前記遮蔽部材が前記遮蔽位置に移動し、該遮蔽位置への移動が完了した後に前記光源が点灯されるものとする。
【００１３】
請求項８に係る発明は、請求項３から請求項７までのいずれかに記載の原稿読み取り装置において、  前記原稿搬送装置の原稿搬送路に沿った位置で、前記原稿読み取り光の照射位置より下流側に、搬送される原稿の後方縁の通過を検知する下流側センサを有し、  前記光源は、前記下流側センサが前記原稿の後方縁を検知するタイミングに基づいて消灯されるものであり、  前記原稿搬送装置の全部又は一部は、前記光源の消灯後に原稿の搬送方向と逆方向に動作して、前記遮蔽部材を退避位置に移動させるものとする。
【００１４】
請求項９に係る発明は、  搬送される原稿面に露光して原稿を読み取る原稿読み取り装置と、  前記原稿読み取り装置で得られた画像情報に基づいて可視像を形成する像形成部とを有し、  前記原稿読み取り装置が、請求項３から請求項８までのいずれかに記載の原稿読み取り装置である画像形成装置を提供するものである。
【発明の効果】
【００１５】
請求項１に係る発明の遮光装置では、原稿読み取り光の漏洩を遮蔽する遮蔽部材を、原稿を搬送するための駆動力を利用して遮蔽位置に移動させることができる。
【００１６】
請求項２に係る発明の遮光装置では、原稿読み取り光の漏洩を遮蔽する位置へ遮蔽部材を移動した後、原稿の搬送を継続した状態で遮蔽部材を遮蔽位置に維持することができる。
【００１７】
請求項３に係る発明の原稿読み取り装置では、原稿読み取り光の漏洩を遮蔽する遮蔽部材を、原稿を搬送するための駆動力を利用して遮蔽位置に移動させることができる。
【００１８】
請求項４に係る発明の原稿読み取り装置では、原稿読み取り光の漏洩を遮蔽する位置へ遮蔽部材を移動した後、原稿の搬送を継続した状態で遮蔽部材を遮蔽位置に維持することができる。
【００１９】
請求項５に係る発明の原稿読み取り装置では、プラテンガラスの周囲にある支持板と原稿カバーとの間からほぼ水平に漏洩する光を遮蔽することができる。
【００２０】
請求項６に係る発明の原稿読み取り装置では、原稿カバーを閉じてプラテンガラスに対向させた状態で、支持板と原稿カバーとの間から漏洩する光を遮蔽し、原稿カバーを上方に持ち上げた状態では遮蔽部材を退避させて操作者による操作の障害になるのを防ぐことができる。
【００２１】
請求項７に係る発明の原稿読み取り装置では、原稿の搬送が開始されてから原稿読み取り光が照射されるまでのタイミングで、遮蔽部材を遮蔽位置に移動させることができる。
【００２２】
請求項８に係る発明の原稿読み取り装置では、搬送される原稿に原稿読み取り光を照射して原稿の読み取りが終了したタイミングに合わせて遮蔽部材を退避させることができる。
【００２３】
請求項９に係る発明の画像形成装置では、原稿読み取り光の漏洩を遮蔽する遮蔽部材を、原稿を搬送するための駆動力を利用して遮蔽位置に移動させることができる。
【図面の簡単な説明】
【００２４】
【図１】本願発明の一実施形態である原稿読み取り装置の概略構成図である。
【図２】図１に示す原稿読み取り装置の概略斜視図である。
【図３】図１に示す原稿読み取り装置で用いられている原稿搬送装置及び遮光装置の概略構成図である。
【図４】図３に示す原稿搬送装置の駆動系を示す概略図である。
【図５】図１に示す原稿読み取り装置で用いられる原稿搬送装置の一部及び遮光装置の概略斜視図である。
【図６】図３に示す遮光装置で用いられる遮蔽部材の動作を示す概略図である。
【図７】図１に示す原稿読み取り装置で、原稿の片面を読み取るときの動作を示す概略図である。
【図８】図１に示す原稿読み取り装置で、原稿の片面を読み取るときの動作を示す概略図である。
【図９】図１に示す原稿読み取り装置で、原稿の片面を読み取るときの動作を示す概略図である。
【図１０】図１に示す原稿読み取り装置で、原稿の両面を読み取るときの動作を示す概略図である。
【図１１】図１に示す原稿読み取り装置で、原稿の両面を読み取るときの動作を示す概略図である。
【図１２】本願発明の一実施形態である画像形成装置の概略構成図である。
【発明を実施するための形態】
【００２５】
以下、本願発明の実施の形態を図に基づいて説明する。
図１は、本願発明の原稿読み取り装置を示す概略構成図である。また、図２はこの原稿読み取り装置の概略斜視図である。
この原稿読み取り装置１は、露光ランプ及びイメージセンサが収容された画像読み取り部２と、読み取る原稿を保持する原稿保持部３とを備えている。
画像読み取り部２は、原稿読み取り光を原稿に照射する露光ランプ１１と、原稿に照射されて反射した光を検出するイメージセンサ１２と、原稿で反射した光を上記イメージセンサに導く第１のミラー１３、第２のミラー１４及び第３のミラー１５と、これらを収容する筐体１６と、この筐体１６の上面に支持されたプラテンガラス１７とを有している。上記露光ランプ１１と第１のミラー１３とはランプキャリッジ１８に搭載され、プラテンガラス１７の下側で移動してプラテンガラス１７に密着するように載せ置かれた原稿に下側から原稿読み取り光を照射するものとなっている。また、第２のミラー１４と第３のミラー１５とはミラーキャリッジ１９に搭載され、ランプキャリッジ１８がプラテンガラス１７に沿って移動するときに、ランプキャリッジ１８の１／２の速度で同方向に移動するものとなっている。そして、露光ランプ１１から照射されて原稿面で反射した光がランプキャリッジ１８に搭載された第１のミラー１３と、ミラーキャリッジ１９に搭載された第２のミラー１４及び第３のミラー１５とに反射され、レンズ２０を介してイメージセンサ１２に導かれる。また、ミラーキャリッジ１９がランプキャリッジ１８の１／２の速度で同方向に駆動されることにより、原稿面からイメージセンサ１２までの光路長が露光ランプ１１の移動によって変動しないものとなっている。
【００２６】
一方、上記筐体１６の上面には、プラテンガラス１７が設けられた位置と並んで、搬送される原稿を読み取るための原稿読み取り窓２１が設けられている。この原稿読み取り窓２１は、原稿が搬送される方向と直角となる方向に長軸を有し、搬送される原稿の最大幅よりも長軸の長さが大きくなるように設けられている。この原稿読み取り窓２１は透明なガラス２２が嵌め込まれ、このガラスの上面と接触するように原稿が搬送される。ランプキャリッジ１８に搭載された露光ランプ１１は上記ガラス２２の下方に静止して、搬送される原稿に下側から原稿読み取り光を照射するものとなっている。上記ガラス２２を透過して原稿面に照射された光は原稿面で反射し、第１のミラー１３、第２のミラー１４及び第３のミラー１５で反射し、レンズ２０を介してイメージセンサ１２で検出される。
【００２７】
上記筐体１６の前方部には、画像読み取り部２及び原稿保持部３の操作信号を入力する操作部４が設けられている。この操作部４は、必要な信号を入力するための入力キー２４及び表示パネル２５を備えている。この操作部４は、後述するように原稿読み取り装置１が複写機又はファクシミリの一部として用いられるときには、画像形成部や通信機能を有する部分を操作する信号の入力に用いることもできる。
【００２８】
上記原稿保持部３は、プラテンガラス１７の上側を覆う原稿カバー３１と、この原稿カバーと一体となるように支持された原稿搬送装置３２と、ランプ１１から照射された原稿読み取り光が漏洩するのを遮蔽する遮光装置３３と、原稿搬送装置３２に供給される原稿が載せ置かれる原稿供給トレイ３４とを備えている。そして、原稿カバー３１は、画像読み取り部２の筐体１６の後方側にヒンジ３５を介して接合され、ヒンジ３５を中心に回転することによってプラテンガラス１７を覆う位置から前方側を上方に跳ね上げるように移動し、プラテンガラス１７の上面を解放することができるものとなっている。
【００２９】
原稿カバー３１は、プラテンガラス１７上に載せ置かれた原稿を、プラテンガラスの上面に密着するように押さえることができるものであり、プラテンガラス１７との対向面に白色の薄板で被覆された弾性部材３６が取り付けられている。また、この原稿カバー３１の上側は、原稿搬送装置３２で搬送され、原稿面の画像が読み取られた後の原稿を保持する排出原稿トレイ３７となっている。
【００３０】
上記原稿搬送装置３２には、図３に示すように、原稿供給トレイ３４上に載せ置かれた原稿Ｇを引き出して、上記画像読み取り部の原稿読み取り窓２１の上を通過させるように搬送する原稿搬送路４１が設けられている。そして、原稿読み取り窓２１の上を通過した原稿を排出原稿トレイ３７に送り出すようになっている。また、原稿が両面に画像を有するものであるときに、これらの双方の画像を読み取るために両面読取用搬送路４２が設けられており、原稿読み取り窓２１の上を通過した原稿の搬送方向を反転し、原稿読み取り窓２１と対向する位置の上流側に送り返すことができるものとなっている。
【００３１】
この原稿搬送装置３２は、上記のように原稿を搬送するために、原稿搬送路４１に沿って、原稿供給トレイ３４上の原稿を上層から順次に引き出すナジャーロール４３と、ナジャーロール４３で引き出された原稿を原稿搬送路４１に送り出す供給ロール４４と、供給ロール４４に対向して設けられ、二枚以上の原稿が重ね合わされたまま供給されるのを防ぐ捌きロール４５と、供給ロール４４との対向する位置から原稿読み取り窓２１と対向する位置に原稿を搬送する第１の搬送ロール４６及び第２の搬送ロール４７と、原稿読み取り窓２１と対向する位置の下流側に設けられた第３の搬送ロール４８と、これらの搬送ロールにそれぞれ対向して設けられた第１の対向ロール４９，第２の対向ロール５０及び第３の対向ロール５１と、原稿搬送路４１の排出原稿トレイ３７への排出口付近に設けられた排出ロール５２と、排出ロール５２に対向して設けられた排出部対向ロール５３と、を備えている。また、原稿搬送路４１には、供給ロール４４の下流側で第１の搬送ロール４６の上流側において搬送される原稿の先端縁を検出する第１のセンサ５４と、第２の搬送ロール４７の下流側で原稿読み取り窓２１と対向する位置の上流側において搬送される原稿の先端縁を検出する第２のセンサ５５と、第３の搬送ロール４８の下流側で排出ロール５２の上流側において搬送される原稿の先端縁を検出する第３のセンサ５６と、が設けられている。
【００３２】
上記ナジャーロール４３は、上下動が可能に支持されており、原稿供給トレイ３４に重ねて載せ置かれた複数の原稿Ｇに接触し、回転して最上層の原稿を供給ロールに向かって送り出すものである。また、原稿Ｇが供給ロール４４と捌きロール４５との間に送り込まれた後は、原稿の上面から離隔するように移動するものとなっている。
【００３３】
上記供給ロー４４ルは、捌きロール４５との間に送り込まれた原稿と接触し、回転することによって原稿を搬送する。また、上記捌きロール４５は、トルクリミッタ（図示しない）を介して支持されており、供給ロール４４と直接に圧接されているとき及び供給ロール４４との間に一枚の原稿を挟み込んでいるときには原稿を搬送する方向に回転する。つまり供給ロール４４に従動し、圧接位置で対向する周面が供給ロール４４の周面と同方向に移動するものとなっている。また、原稿が２枚以上重なって送り込まれたときには、供給ロール４４との間に挟み込まれた２枚以上の原稿間で滑りが生じ、捌きロール４５に伝達されるトルクが減少する。このときにはトルクリミッタの作用で捌きロール４５の回転が拘束され、捌きロール４５に接触している原稿の搬送が停止されて原稿の重送を防止するものとなっている。
【００３４】
上記第１の搬送ロール４６は、供給ロール４４の下流側にあって第１の対向ロール４９と圧接されている。そして、第１の対向ロール４９との間に送り込まれた原稿を挟み込み、回転して搬送するものである。また、この第１の搬送ロール４６は第１の対向ロール４９との圧接位置に先端が突き当てられた原稿を一旦停止させ、再度搬送を開始することによって搬送のタイミングを調整する機能及び搬送される原稿の斜め送りを矯正する機能を有するものとすることができる。
上記第２の搬送ロール４７は、第１の搬送ロール４６から送り込まれた原稿を第２の対向ロール５０との間に挟み込み、原稿読み取り窓２１に設けられたガラス２２の上面に接触して移動するように原稿を搬送する。
【００３５】
上記第３の搬送ロール４８は、原稿読み取り窓２１との対向位置を通過した原稿を第３の対向ロール５１との間に挟み込み、排出ロール５２に向かって搬送するものである。排出ロール５２は、第３の搬送ロール４８から送られてきた原稿を排出原稿トレイ３７に送り出すものとなっている。また、原稿の両面を読み取る両面読み取りモードのときには、第１面が読み取られた後の原稿の後部が排出部対向ロール５３との間に挟み込まれているときに逆回転されるものであり、原稿の搬送方向を反転し、分岐５７から両面読取用搬送４２を経て第１の搬送ロール４６の上流側に送り返すものとなっている。
また、排出ロール５２に対向して設けられた排出部対向ロール５３は、排出ロール５２と圧接される位置から離隔する位置に後退することが可能となっており、排出ロール５２との圧接が解除されることにより、排出ロール５２から原稿に搬送力が伝達されない状態にすることができるものである。
【００３６】
上記供給ロール４４、第１の搬送ロール４６及びナジャーロール４３は、図４に示すように、原稿搬送装置３２の後方側すなわち操作者が操作を行う位置に対して奥側に設けられた第１のモータ６１によって駆動される。駆動力は、第１の搬送ロール４６の支持軸に固着された第１のプーリー６２、供給ロール４４の支持軸に固着された第２のプーリー６３、第３のプーリー６４及び第１のモータの駆動軸に固着された第４のプーリー６５に掛け回された第１のベルト６６によって第１のモータ６１から各ロールに伝達される。また、ナジャーロール４３へは供給ロール４４から第２のベルト６７によって回転駆動力が伝達されるものとなっている。
【００３７】
上記第２の搬送ロール４７、第３の搬送ロール４８及び排出ロール５２は、第２のモータ７１によって駆動されるものとなっており、第２のモータ７１の駆動軸に固着された第５のプーリー７２と、第２の搬送ロール４７の支持軸に固着された第６のプーリー７３とに掛け回された第３のベルト７４によって第２の搬送ロール４７に駆動力が伝達される。また、原稿搬送装置３２の前方側で第４のベルト７５及び第５のベルト７６によって第２の搬送ロール４７の支持軸から第３の搬送ロール４８の支持軸、さらに排出ロール５２の支持軸に回転駆動力が伝達されるものとなっている。
【００３８】
一方、上記遮光装置３３は、図３及び図５に示すように、第２の搬送ロール４７の支持軸に取り付けられたトルクリミッタ８１と、このトルクリミッタ８１を介して回転駆動されるアーム部材８２と、上記アーム部材８２に連結された遮蔽部材８３と、この遮蔽部材の移動をガイドするガイド部材８４とを備えている。
【００３９】
上記遮蔽部材８３は、原稿搬送装置３３を収容する収容カバー５８内に設けられ、ガイド部材８４に沿って上下方向に移動が可能となった板状の部材である。そして、第２の搬送ロール４７の支持軸からトルクリミッタ８１を介して伝達される回転駆動力によって駆動され、図３に示すように、下降して原稿読み取り窓２１が設けられた支持板２３に下端が突き当てられた位置と、図６に示すように上方に引き上げられて収容カバー５８内に退避した位置との間で往復移動するものとなっている。
【００４０】
上記遮蔽部材８３は、図５に示すように、搬送される原稿の幅方向に長い形状となっており、原稿読み取り窓２１が設けられた位置の長軸方向に沿って、支持板２３の側縁側に突き当てられる。そして、前方側に曲折され、原稿読み取り窓２１の前方側に及ぶものとなっている。つまり、図２に示すように、原稿保持部２の下面に細長い開口部３８が設けられており、原稿カバー３１がプラテンガラス１７を覆うように閉じた状態で、上記開口部３８から下方に突出し、支持板２３の原稿読み取り窓２１が設けられた位置の前方部及び側方部（図２に符号Ａで示す範囲）に突き当てられる。
なお、遮蔽部材８３の下端には、縁辺に沿って連続するように遮光性を有する弾性部材を取り付けておくこともできる。これにより、遮蔽部材８３が支持板２３の上面と密着し、原稿読み取り光の漏洩をより確実に防ぐことができる。
【００４１】
上記トルクリミッタ８１は、第２の搬送ロール４７の支持軸に取り付けられ、この支持軸からアーム部材８２に回転駆動力を伝達するものである。そして、アーム部材８２の回転に予め定められた値以上の負荷が作用したときにアーム部材８２と第２の搬送ロール４７の支持軸との間の相対的な回転を許容し、アーム部材８２の回転が拘束されたまま支持軸の回転を許容するものである。
【００４２】
上記アーム部材８２は、駆動伝達部材として機能するものであり、トルクリミッタ８１を介して回転するように張り出し、先端付近が遮蔽部材８３の取り付け部８３ａに連結されている。取り付け部８３ａには水平方向に長軸を有する長孔が設けられており、この長孔内で回転が可能に挿通されたピン８５によってアーム部材８２と連結され、アーム部材８２の回転を拘束しないようになっている。したがって、アーム部材８２が第２の搬送ロール４７の支持軸回りに回転したときに、遮蔽部材８３が上下方向に駆動され、ガイド部材８４に沿って上下方向の直線的な往復移動をするものとなっている。
なお、上記トルクリミッタ８１及びアーム部材８２は、図５において原稿搬送装置３２の前方側に設けられたもののみを示しているが、第２の搬送ロー４７ルの支持軸には後方側にも同様のトルクリミッタが設けられ、アーム部材によって遮蔽部材８３と連結されている。したがって、遮蔽部材８３は前方側と後方側とに設けられたアーム部材によって上下方向に駆動される。
【００４３】
上記のような原稿搬送装置３２は、制御装置（図示しない）によって制御され、次のように動作する。
原稿供給トレイ３４に原稿が準備され、原稿の読み取りを開始する信号が入力されると、第１のモータ６１が駆動され、第１の搬送ロール４６、供給ロール４４及びナジャーロール４３の回転が開始される。これとともに、ナジャーロール４３が原稿の上面に当接される。これにより最上層の原稿が供給ロール４４に向かって送り出される。原稿が供給ロール４４と捌きロール４５との圧接位置に到達すると、原稿は供給ロール４４と捌きロール４５との間に挟み込まれて搬送され、２枚以上の原稿が重なって送り込まれた場合には捌きロール４５によって２枚目以下の原稿の搬送が停止される。これにより、原稿は一枚ずつ第１の搬送ロール４６に送られ、第１の対向ロール４９との間に挟み込まれてさらに搬送される。
【００４４】
第１の搬送ロール４６の上流側には、上流側センサとして機能する第１のセンサ５４が設けられており、図７（ａ）に示すように搬送される原稿の先端縁が第１のセンサ５４が設けられた位置に到達すると、第１のセンサ５４がこれを検知し、第２のモータ７１の駆動が開始される。これにより、第２の搬送ロール４７、第３の搬送ロール４８及び排出ロール５２が図３及び図７（ｂ）中に示す矢印の方向に回転する。これにともない、トルクリミッタ８１を介してアーム部材８２が回転し、図７（ａ）及び図６に示すように上方に引き上げられて収容カバー５８内に収容されていた遮蔽部材８３が下降し、図７（ｂ）及び図３に示すように下端が原稿読み取り窓２１の側方で支持板２３上に突き当てられる。
遮蔽部材８３の下端が支持板２３に突き当てられると遮蔽部材８３の下方への移動が拘束され、トルクリミッタ８１に作用する負荷が増大する。この負荷の増大に対してトルクリミッタ８１はアーム部材８２と第２の搬送ロール４７の支持軸との相対的な回転を許容し、遮蔽部材８３は下降した状態が維持された状態で第２の搬送ロール４７は回転を継続する。
【００４５】
第１の搬送ロール４６によって搬送された原稿は、第２の搬送ロール４７と第２の対向ロール５０との間に挟み込まれ、原稿読み取り窓２１に向かって搬送される。原稿読み取り窓２１の上流側には第２のセンサ５５が設けられており、図７（ｂ）に示すように原稿の先端縁が第２のセンサ５５と対向する位置に到達すると、第２のセンサ５５がこれを検知し、露光ランプ１１を点灯する。このとき、支持板２３の上面と原稿カバー３１の対向面との隙間から漏洩する光が遮蔽部材８３によって遮蔽される。
【００４６】
第２の搬送ロール４７によって搬送される原稿は、原稿読み取り窓２１に設けられたガラス２２の上面に接触するように搬送され、静止している露光ランプ１１によって原稿の先端側から後方側へ連続して露光される。そして、原稿面で反射した光は第１のミラー１３、第２のミラー１４、第３のミラー１５及びレンズ２０を経てイメージセンサ１２に到達し、画像が電気信号に変換される。 
【００４７】
原稿読み取り窓２１と対向する位置を通過した原稿は、第３の搬送ロール４８と第３の対向ロール５１との間に挟み込まれて搬送され、図８（ａ）に示すように排出ロール５２と排出部対向ロール５３とに間に送り込まれる。そして、図８（ｂ）に示すように原稿の後端縁が、下流側センサとして機能する第３のセンサ５６によって検知されると露光ランプ１１が消灯される。圧接される排出ロール５２と排出部対向ロール５３との間に挟み込まれた原稿はさらに搬送され、図９に示すように排出原稿トレイ３７に送り出される。
【００４８】
原稿の後端が排出ロール５２との接触位置を通過し、排出原稿トレイ３７に収容されると、第２のモータ７１は予め定められた時間だけ逆方向に回転駆動される。これにより第２の搬送ロール４７の支持軸及びこの支持軸から回転駆動力が伝達されるアーム部材８２が逆方向に回転駆動され、遮蔽部材８３が上方に移動して収容カバー５８内に退避される。これにより、その後に原稿カバー３１を上方へ跳ね上げるように開放し、プラテンガラス１７との対向面が露出しても、遮蔽部材８３は収容カバー５８内に収容されていて、原稿をプレラテンガラス１７上に載せ置く操作を阻害することはない。
【００４９】
以上に説明した動作は、原稿の片面のみを読み取る片面読み取りモードにおける動作であったが、原稿の両面に形成されている画像を読み取る両面読み取りモードが選択されたときには、次に説明するように動作する。
原稿供給トレイ３４に載せ置かれた原稿がナジャーロール４３によって引き出され、原稿搬送路４１を経て原稿読み取り窓２１と対向する位置を通過する。そして、排出ロール５２と排出部対向ロール５３との間に挟み込まれるまでは、両面読み取りモードであっても片面読み取りモードと同様に動作する。
【００５０】
両面読み取りモードでは、原稿が排出ロール５２と排出部対向ロール５３とに挟まれて搬送され、図１０（ａ）に示すように原稿の後部が排出ロール５２と排出部対向ロール５３に保持されているときに、排出ロール５２の回転方向が反転される。これにより、原稿の搬送方向が反転され、分岐５７を経て両面読取用搬送路４２に送り込まれる。両面読取用搬送路４２を搬送された原稿は、図１０（ｂ）に示すように第１の搬送ロール４６の上流側に再び搬送される。なお、分岐５７は搬送方向が反転された原稿を両面読取用搬送路４２に導くように搬送経路を切り換えるゲートが設けられたものであっても良いし、搬送路のガイド部材の形状と、原稿の弾性的に形状を保持する性質とによって両面読取用搬送路に導くものであっても良い。
【００５１】
排出ロール５３の逆回転により原稿が両面読取用搬送路４２を経て第１の搬送ロール４６と第１の対向ロール４９との間に挟み込まれると、図１１（ａ）に示すように排出部対向ロール５３は排出ロール５２に圧接される位置から後退する。これによって原稿は排出ロール５２から離れ、原稿は第１の搬送ロール４６と第１の対向ロール４９とによって搬送される。そして、排出ロール５２は逆回転を中止し、正規の方向に再度回転駆動される。また、排出部対向ロール５３は搬送方向が逆転された原稿の後端すなわち第１面を読み取るときの先端が排出ロール５２と対向する位置を通過すると、再び排出ロール５２に圧接される。
上記のように排出ロール５２が逆方向に回転駆動され、その後に正規の方向に再度駆動されるのにともない、第２の搬送ロール４７も逆回転及び正規の方向への反転が行われる。これにより、遮蔽部材８３は一旦上方に引き上げられて退避する位置に戻り、再度正規の方向に回転駆動されることによって露光ランプ１１からの光を遮蔽する位置に移動する。
【００５２】
その後、原稿は第１面が読み取られたときと同様に第２の搬送ロール４７によって原稿読み取り窓２１と対向する位置に搬送され、点灯された露光ランプ１１の照射光によって原稿の第２面の画像が読み取られる。そして、図１１（ｂ）に示すように第３の搬送ロール４８及び排出ロール５２によって搬送され、排出原稿トレイ３７に送り出される。その後、第２のモータ７１は逆方向に回転駆動されて遮蔽部材８３が収容カバー５８内に退避した位置に戻され、原稿の読み取りを終了する。
【００５３】
上記のように両面読み取りモードでは、第１面の読み取りが終了した後、第２のモータ７１が逆回転されて遮蔽部材８３が一旦退避され、搬送方向が反転された原稿が第２面の読み取りのために搬送されるのにともなって再度遮蔽部材８３が遮蔽位置に移動する。これに対し、第２の搬送ロール４７の支持軸とアーム部材８２との間にクラッチ（図示しない）を介挿することにより、第１面の読み取り時と第２面の読み取り時との間で遮蔽部材８３が移動するのを回避することができる。つまり、次にように制御することが可能となる。
【００５４】
上記クラッチは、制御装置（図示しない）に制御されて第２の搬送ロール４７の支持軸からアーム部材８２への回転駆動力の伝達をＯＮ／ＯＦＦ制御することができるものである。したがって、第１面の画像を読み取るために原稿が搬送されたときには、クラッチをＯＮ状態として遮蔽部材８３を遮蔽位置に移動し、第１面の読み取りが終了して原稿の搬送方向が反転されるときには駆動力の伝達がＯＦＦ状態となるようにクラッチを制御することができる。そして、原稿の第２面の読み取りが終了して原稿が排出原稿トレイ３７に収容された後、第２のモータ７１が逆方向に駆動される時にはクラッチを再びＯＮ状態として遮蔽部材８３を退避位置に移動させる。
このように制御することにより、原稿の第１面に露光ランプ１１から原稿読み取り光が照射される前に遮蔽部材８３が遮蔽位置に移動し、第２面への照射が終了して原稿が排出原稿トレイ３７に送り出された後に遮蔽部材８３が退避位置に移動される。
【００５５】
一方、原稿供給トレイに複数枚の原稿が重ねて載せ置かれ、これらの原稿面を連続して読み取るときには、原稿が排出原稿トレイ３７に送り出されても次の原稿があると第２のモータ７１を逆方向に回転駆動するのを省略するように制御することができる。これにより複数枚の原稿を連続して読み取るときに、１枚の原稿を読み取る毎に遮蔽部材８３が一旦退避位置に移動するのが回避される。
【００５６】
本実施例における遮光装置３３は、原稿搬送装置３２で原稿が搬送されるときのみでなく、プラテンガラス１７上に載せ置かれた原稿を露光ランプ１１が移動して読み取るときにも動作させることができる。このようにプラテンガラス１７上の原稿を読み取るときには次のように制御することができる。
【００５７】
プラテンガラス１７上に原稿が載せ置かれ、原稿カバー３１がプラテンガラス１７上を覆うように閉じられて露光ランプ１１が点灯される前に第２のモータ７１が予め定められた時間だけ駆動するように制御する。これにより、第２の搬送ロール４７の支持軸が回転し、遮蔽部材８３が遮蔽位置に移動する。したがって、遮蔽部材８３は原稿カバー３１のプラテンガラス１７との対向面より下方に突出し、画像読み取り部２の支持板２３と原稿カバー３１の下面との隙間から漏洩する光が遮蔽される。
【００５８】
その後、露光ランプ１１を搭載したランプキャリッジ１８がプラテンガラス１７の下側を走行移動し、プラテンガラス１７上の原稿を露光して反射光がイメージセンサ１２によって読み取られる。読み取りが終了して露光ランプが消灯されると第２のモータが逆方向に所定時間駆動され、遮蔽部材８３が収容カバー５８内に退避される。
【００５９】
なお、上記実施の形態では、プラテンガラス１７とは別に原稿読み取り窓２１が並設されているが、原稿搬送装置３２は原稿をプラテンガラス１７上の予め定められた位置に搬送し、この位置でプラテンガラス１７の上面と接触して移動させるものであってもよい。このように搬送される原稿は、プラテンガラス１７の下側で静止した露光ランプ１１によって原稿面が露光され、原稿上の画像が読み取られる。
【００６０】
以上に本発明に係る遮光装置３３及び原稿読み取り装置１について説明したが、これらの遮光装置３３及び原稿読み取り装置１は画像形成装置の一部として画像形成部と組み合わせて、又は画像形成部と一体として用いることができる。
図１２は、本願に係る発明の画像形成装置であって、本願発明に係る遮光装置３３又は原稿読み取り装置１を用いた画像形成装置の一例を示す概略構成図である。
この画像形成装置は、電子写真方式による画像形成部９０を備えるものであり、この画像形成部を収容する筐体９１の上に排紙トレイ９２が設けられている。そして、その上に図１に示す原稿読み取り装置１が支持されている。
【００６１】
この画像形成装置は、複写機及びファクシミリとして機能するものであり、原稿読み取り装置１で読み取られた画像信号に基づき、画像形成部９０が記録シート上に画像を形成することができるものとなっている。また、外部装置から入力される画像信号に基づいて画像を形成するプリンタとして用いることもできる。一方、原稿読み取り装置１で読み取られた画像信号は、ファクシミリとして外部装置に送信することができる。また、読み取られた画像信号をコンピュータに出力することができ、スキャナーとして用いることもできるものである。
【００６２】
上記画像形成部９０は、画像信号に基づいて点滅するレーザ光を発生する露光装置１０１と、静電電位の差による潜像に電荷を有するトナーを転移させて可視像を形成する複数の画像形成ユニット１０２と、各画像形成ユニットと対向するように張架された無端ベルト状の中間転写体１０３と、形成されたトナー像を中間転写体１０３に転写する一次転写装置１０４と、中間転写体１０３上のトナー像を搬送される記録シート上に転写する二次転写装置１０５と、転写されたトナー像を加熱して記録シート上に定着する定着装置１０６とを備えている。
【００６３】
上記画像形成ユニット９０は、それぞれ異なる色のトナー像を形成するものであり、無端状の周面に感光体層を有する像保持体１１１と、この像保持体１１１の表面をほぼ一様に帯電する帯電装置１１２と、帯電された像保持体１１１に像光を照射して形成された潜像にトナーを転移して可視像を形成する現像装置１１３と、トナー像が中間転写体１０３に転写された後の像保持体１１に残留するトナーを回収するクリーニング装置１１４とを備えるものである。
【００６４】
このような画像形成装置では、原稿読み取り装置１で読み取られた画像信号又は外部装置から入力された画像信号に基づき、露光装置１０１が一様帯電された像保持体１１１上に像光を照射する。これによって像保持体１１１上に静電潜像が形成され、この潜像に現像装置１１３からトナーが転移されてトナー像が形成される。各画像形成ユニット９０で形成されたトナー像は中間転写体１０３上に重ね合わせて転写され、さらに重ね合わされたトナー像が一括して記録シート上に転写される。トナー像が転写されたトナー像は定着装置１０６で加熱及び加圧され、記録シート上に圧着されて定着画像とされる。
【符号の説明】
【００６５】
１：原稿読み取り装置、    ２：画像読み取り部、    ３：原稿保持部、    ４：操作部、    
１１：露光ランプ、    １２：イメージセンサ、    １３：第１のミラー、    １４：第２のミラー、    １５：第３のミラー、    １６：筐体、    １７：プラテンガラス、    １８：ランプキャリッジ、    １９：ミラーキャリッジ、    ２０：レンズ、    ２１：原稿読み取り窓、    ２２：ガラス、    ２３：支持板、    ２４：入力キー、    ２５：表示パネル、    
３１：原稿カバー、    ３２：原稿搬送装置、    ３３：遮光装置、    ３４：原稿供給トレイ、    ３５：ヒンジ、    ３６：弾性部材、    ３７：排出原稿トレイ、    ３８：開口部、    
４１：原稿搬送路、    ４２：両面読取用搬送路、    ４３：ナジャーロール、    ４４：供給ロール、    ４５：捌きロール、    ４６：第１の搬送ロール、    ４７：第２の搬送ロール、    ４８：第３の搬送ロール、    ４９：第１の対向ロール、    ５０：第２の対向ロール、    ５１：第３の対向ロール、    ５２：排出ロール、    ５３：排出部対向ロール、    ５４：第１のセンサ、    ５５：第２のセンサ、    ５６：第３のセンサ、    ５７：分岐、    ５８：収容カバー、    
６１：第１のモータ、    ６２：第１のプーリー、    ６３：第２のプーリー、    ６４第３のプーリー：、    ６５：第４のプーリー、    ６６：第１のベルト、    ６７：第２のベルト、    
７１：第２のモータ、    ７２：第５のプーリー、    ７３：第６のプーリー、    ７４：第３のベルト、    ７５：第４のベルト、    ７６：第５のベルト、    
８１：トルクリミッタ、    ８２：アーム部材、    ８３：遮蔽部材、    ８４：ガイド部材、    ８５：ピン、    
９０：画像形成部、    ９１：筐体、    ９２：排紙トレイ、    
１０１：露光装置、    １０２：画像形成ユニット、    １０３：中間転写体、    １０４：一次転写装置、    １０５：二次転写装置、    １０６：定着装置、    
１１１：像保持体、    １１２：帯電装置、    １１３：現像装置、    １１４：クリーニング装置
【図１】
2011066766.tif 000003
【図２】
2011066766.tif 000004
【図３】
2011066766.tif 000005
【図４】
2011066766.tif 000006
【図５】
2011066766.tif 000007
【図６】
2011066766.tif 000008
【図７】
2011066766.tif 000009
【図８】
2011066766.tif 000010
【図９】
2011066766.tif 000011
【図１０】
2011066766.tif 000012
【図１１】
2011066766.tif 000013
【図１２】
2011066766.tif 000014